(57)【特許請求の範囲】
【請求項１】
光源と、
一端に設けられた第１導線部及び他端に設けられた第２導線部を有し、前記第１導線部を介して前記光源に電気的に接続される第１リード線と、
外部からの電源線が接続される端子台と、
一端に設けられた第３導線部及び他端に設けられた第４導線部を有し、前記第３導線部を介して前記端子台に電気的に接続される第２リード線と、
前記第１リード線の前記第２導線部と前記第２リード線の前記第４導線部とを電気的に接続する閉端接続子と、
一面が開口する箱形に形成され、少なくとも前記端子台及び前記閉端接続子が内部に収容される器具本体と、
前記器具本体の開口を塞いだ状態で前記器具本体に取り付けられ、前記器具本体を取付面に固定する取付板とを備え、
前記器具本体の内部には、前記閉端接続子を保持する保持部が設けられ、
前記閉端接続子は、前記器具本体を前記取付面に取り付けた状態において、前記第１リード線及び前記第２リード線が引き出される開口側が鉛直下向きとなるように前記保持部に保持されており、
前記第１導線部と前記第３導線部と前記閉端接続子とは、前記器具本体を前記取付面に取り付けた状態での鉛直方向において上側から前記第１導線部、前記閉端接続子、前記第３導線部の順に並んでいることを特徴とする照明器具。
【請求項２】
前記保持部は、前記器具本体の底部より立ち上がる立壁部によって筒状に形成され、
前記閉端接続子は、前記立壁部の内面に密着した状態で前記保持部に保持されることを特徴とする請求項１記載の照明器具。
【請求項３】
前記閉端接続子は、前記器具本体に前記取付板を取り付けた状態において、前記第１リード線及び前記第２リード線を介して前記取付板から加えられる力により前記保持部から抜ける方向への移動が規制されることを特徴とする請求項１又は２記載の照明器具。
【発明の詳細な説明】
【技術分野】
【０００１】
本発明は、照明器具に関し、より詳細には、閉端接続子を用いて光源と端子台とを電気的に接続した照明器具に関する。
【背景技術】
【０００２】
従来、吊下げ型の照明装置が提供されている（例えば特許文献１参照）。この照明装置は、装置本体と、装置本体に連結されたコードとを備える。
【０００３】
装置本体は、全体としては、両端部が閉塞された扁平な円筒状であり、上面は上方に緩やかに突出し、下面は下方に緩やかに突出した形状となっている。また、装置本体の上面中央からは、装置本体に内蔵された発光モジュールに電気的に接続され、発光モジュールに対して電源を供給する上記コードが引き出されている。
【０００４】
この照明装置では、発光モジュールから引き出されたリード線とコードからのリード線とを閉端接続子により接続することで、発光モジュールとコードとが電気的に接続され、コードを介して発光モジュールに電源が供給される。
【先行技術文献】
【特許文献】
【０００５】
【特許文献１】特開２０１４−１３０７４３号公報
【発明の概要】
【発明が解決しようとする課題】
【０００６】
上述の特許文献１に示した照明装置は、風雨に晒されない室内の天井面に取り付けられるので、防水性を考慮する必要性は低い。しかしながら、屋外に設置される照明装置では防水性を考慮する必要があり、上述のように閉端接続子を用いてリード線同士を接続する構造の場合、照明装置を設置した状態で閉端接続子の内部に水が入らないように閉端接続子を配置する必要があった。
【０００７】
本発明は上記問題点に鑑みてなされており、リード線同士を接続する閉端接続子の内部に水が入りにくくした照明器具を提供することを目的とする。
【課題を解決するための手段】
【０００８】
本発明の照明器具は、光源と、一端に設けられた第１導線部及び他端に設けられた第２導線部を有し、前記第１導線部を介して前記光源に電気的に接続される第１リード線と、外部からの電源線が接続される端子台と、一端に設けられた第３導線部及び他端に設けられた第４導線部を有し、前記第３導線部を介して前記端子台に電気的に接続される第２リード線と、前記第１リード線の前記第２導線部と前記第２リード線の前記第４導線部とを電気的に接続する閉端接続子と、一面が開口する箱形に形成され、少なくとも前記端子台及び前記閉端接続子が内部に収容される器具本体と、前記器具本体の開口を塞いだ状態で前記器具本体に取り付けられ、前記器具本体を取付面に固定する取付板とを備え、前記器具本体の内部には、前記閉端接続子を保持する保持部が設けられ、前記閉端接続子は、前記器具本体を前記取付面に取り付けた状態において、前記第１リード線及び前記第２リード線が引き出される開口側が鉛直下向きとなるように前記保持部に保持されており、前記第１導線部と前記第３導線部と前記閉端接続子とは、前記器具本体を前記取付面に取り付けた状態での鉛直方向において上側から前記第１導線部、前記閉端接続子、前記第３導線部の順に並んでいることを特徴とする。
【発明の効果】
【０００９】
本発明の構成によれば、リード線同士を接続する閉端接続子の内部に水が入りにくくした照明器具を提供することができるという効果がある。
【図面の簡単な説明】
【００１０】
【図１】本発明の実施形態に係る照明器具の要部を示す断面図である。
【図２】本発明の実施形態に係る照明器具の全体斜視図である。
【図３】本発明の実施形態に係る照明器具の断面図である。
【図４】本発明の実施形態に係る照明器具の分解斜視図である。
【図５】本発明の実施形態に係る照明器具に用いられる器具本体を下側から見た平面図である。
【発明を実施するための形態】
【００１１】
本発明の実施形態に係る照明器具１０について、図面を参照しながら具体的に説明する。ただし、以下に説明する構成は、本発明の一例に過ぎず、本発明は下記の実施形態に限定されない。したがって、この実施形態以外であっても、本発明に係る技術的思想を逸脱しない範囲であれば、設計等に応じて種々の変更が可能である。
【００１２】
なお、以下の説明では特に断りがない限り、図３に示す向きにおいて上下・左右の方向を規定する。したがって、本実施形態では、取付面１００と直交する方向が上下方向となる。
【００１３】
本実施形態の照明器具１０は、例えば屋外に設置された門柱の上面（図３中の取付面１００）に取り付けられる門柱灯である。この照明器具１０は、図２〜図４に示すように、カバー１と、支持台２と、器具本体３と、光源４と、取付板５と、パッキン６とを備える。
【００１４】
カバー１は、例えばつや消しの乳白ガラスからなり、球状に形成された本体部１１と、本体部１１の下部より下向きに突出する円筒状の連結部１２とを有する。連結部１２の外周面には、雄ねじ部１２０が形成されている。
【００１５】
支持台２は、例えばアルミダイカスト製品であって、上面が開口する扁平な円筒状に形成された本体部２１と、本体部２１の下部から下向きに突出し且つ下側に行くほど外径が小さくなるように形成された筒状部２２とを有する。筒状部２２の下面には、上下方向に貫通する貫通孔２３０を底部に有する凹部２３が設けられている。
【００１６】
また、本体部２１の内部には、上向きに突出し且つ上面が開口する矩形の突出部２４が一体に設けられている。そして、突出部２４の上面開口は、矩形板状に形成された閉塞板２５により塞がれている。
【００１７】
さらに、本体部２１の内周面には、カバー１の連結部１２に設けられた雄ねじ部１２０がねじ込まれる雌ねじ部２１０が形成されている。そして、連結部１２の雄ねじ部１２０を本体部２１の雌ねじ部２１０にねじ込むことで、カバー１が支持台２に取り付けられる。
【００１８】
器具本体３は、支持台２と同じアルミダイカスト製品であって、下面が開口する扁平な円筒状に形成された本体部３１と、本体部３１の上部から上向きに突出し且つ上側に行くほど外径が小さくなるように形成された筒状部３２とを有する。また、筒状部３２の上面には、上向きに突出する筒状の突出部３３が一体に設けられており、突出部３３の底部、すなわち筒状部３２の上面には、上下方向に貫通する貫通孔３２０が設けられている。
【００１９】
さらに、本体部３１の内部であって且つ左右方向における両端寄りには、図３及び図５に示すように、上下方向に貫通する貫通孔３１１，３１１がそれぞれ設けられている。また、本体部３１の内部であって且つ右側の貫通孔３１１の近傍には、本体部３１の底部（上面）より立ち上がる立壁部３１００によって筒状に形成された保持部３１０が設けられている。
【００２０】
この保持部３１０は、後述する閉端接続子９を保持するために設けられており、図３及び図５に示すように、２つの閉端接続子９が左右方向に並べて収容される。なお、詳細については後述する。
【００２１】
光源４は、例えばＬＥＤ電球であって、図３に示すように、発光部４１と、発光部４１の下部において一体に形成された電極部４２とを有する。電極部４２は、外周面に形成された雄ねじ部からなる正電極４２０と、底部に形成された突起からなる負電極４２１とで構成される。
【００２２】
一方、ソケット７は、上面が開口する有底筒状に形成されており、内周面により正電極が構成され、底部により負電極が構成される。そして、ソケット７の内周面に形成された雌ねじ部に電極部４２の雄ねじ部をねじ込むことで、光源４がソケット７に機械的に保持され且つ電気的に接続される。ここに、ソケット７は、図３に示すように、支持台２の突出部２４に取り付けられた閉塞板２５の上面にねじ固定される。
【００２３】
取付板５は、図４に示すように、円板状に形成された本体部５１と、本体部５１の左右方向における両端部から上向きに突出する棒状の取付部５２，５２とを有する。また、本体部５１の中央部には、上下方向に貫通し、外部からの電源線１６（図１参照）が挿通される配線孔５１０が設けられている。なお、各取付部５２の先端部には、キャップ１９の内周面に形成された雌ねじ部にねじ込まれる雄ねじ部が形成されている。
【００２４】
パッキン６は、例えばエチレンプロピレンゴム（ＥＰＴ）を材料とするスポンジゴムからなり、上述の取付板５よりも一回り大きい円板状に形成された本体部６１を有する。また、本体部６１の中央部には、上下方向に貫通し、電源線１６が挿通される配線孔６１０が設けられている。つまり、本実施形態の照明器具１０では、取付板５を取付面１００に取り付ける際に取付面１００との間にパッキン６を介在させており、これにより器具本体３の内部への水の浸入を抑えることができる。なお、パッキン６の材料はエチレンプロピレンゴムに限らず、例えばシリコーンゴムであってもよい。
【００２５】
ここで、器具本体３の本体部３１の内部には、図３及び図５に示すように、端子台８が収納されている。この端子台８は、直方体状に形成された本体部８１を有し、本体部８１の一方の側面には、電源線１６の導体がそれぞれ挿通される一対の挿通孔８１０が設けられている（図３参照）。また、本体部８１の内部には、各挿通孔８１０から挿入される電源線１６の導体を機械的に保持し且つ電気的に接続する速結端子構造の接続部（図示せず）が収納されている。
【００２６】
本体部８１の他方の側面には、後述する一対の第２リード線１５の第４導線部１５２がそれぞれ挿通される一対の挿通孔（図示せず）が設けられている。また、本体部８１の内部には、各挿通孔から挿入される第２リード線１５の第４導線部１５２を機械的に保持し且つ電気的に接続する速結端子構造の接続部（図示せず）が収納されている。
【００２７】
また、本実施形態では、上下方向に長い円管状に形成された連結部材１７により支持台２と器具本体３とが一体に連結される。この連結部材１７の外周面には、ナット１８の内周面に形成された雌ねじ部にねじ込まれる雄ねじ部が全長に亘って形成されている。
【００２８】
そして、支持台２の貫通孔２３０及び器具本体３の貫通孔３２０に連結部材１７を挿通させた後、上下方向における両側からナット１８，１８をそれぞれねじ込むことで、支持台２と器具本体３とが一体に連結される。なお、支持台２と器具本体３とを連結させた状態では、図３に示すように、突出部２４の内部空間と本体部３１の内部空間とが連結部材１７を通して繋がっている。
【００２９】
次に、照明器具１０の施工手順について説明する。なお、以下の説明では、支持台２と器具本体３とが連結部材１７により予め一体に組み付けられているものとする。
【００３０】
まず最初に、施工者は、パッキン６の本体部６１の配線孔６１０及び取付板５の本体部５１の配線孔５１０に電源線１６を通した後、取付板５及びパッキン６を取付面１００にねじ固定する。続けて、施工者は、電源線１６の導線を端子台８の挿通孔８１０に挿通させて上記接続部に接続した後、取付板５の取付部５２，５２を器具本体３の貫通孔３１１，３１１にそれぞれ挿通させる。
【００３１】
その後、施工者は、キャップ１９の内周面に形成された雌ねじ部に、取付部５２の先端部に形成された雄ねじ部をねじ込み、支持台２及び器具本体３を取付板５に固定する。そして最後に、施工者は、光源４をソケット７にねじ込んで光源４をソケット７に機械的に保持させ且つ電気的に接続した後、カバー１の連結部１２を支持台２の本体部２１にねじ込んでカバー１を支持台２に取り付ける。以上の手順により、照明器具１０の施工が完了する（図２参照）。
【００３２】
図１は本実施形態の照明器具１０の要部を示す断面図である。この照明器具１０では、光源４が電気的に接続されるソケット７と、外部からの電源線１６が電気的に接続される端子台８との間が、第１リード線１４及び第２リード線１５により接続されている。
【００３３】
第１リード線１４は、一端側の被覆を剥がして露出させた導体（芯線）からなる第１導線部１４１と、他端側の被覆を剥がして露出させた導体からなる第２導線部１４２とを有し、第１導線部１４１によりソケット７に電気的に接続される。また、第１リード線１４の他端側、すなわち第２導線部１４２側は、連結部材１７の内部を通して器具本体３側（下側）に引き出される。
【００３４】
第２リード線１５は、一端側の被覆を剥がして露出させた導体からなる第３導線部１５１と、他端側の被覆を剥がして露出させた導体からなる第４導線部１５２とを有し、第３導線部１５１により端子台８に電気的に接続される。そして、本実施形態では、第１リード線１４の第２導線部１４２と、第２リード線１５の第４導線部１５２との間を閉端接続子９により電気的に接続している。
【００３５】
ところで、本実施形態の照明器具１０は、上述のように、屋外に設置された門柱の上面（取付面１００）に取り付けられる門柱灯であり、風雨に晒される環境下で使用されることから、防水性を確保する必要がある。そのため、第１リード線１４及び第２リード線１５が引き出される閉端接続子９の開口側の向きによっては、閉端接続子９の内部に水が浸入する可能性がある。
【００３６】
そこで、本実施形態では、図１及び図３に示すように、器具本体３に設けた保持部３１０に対して先端側（開口側と反対側）から閉端接続子９を差し込んでいる。これにより、照明器具１０を取付面１００に取り付けた状態において、第１リード線１４及び第２リード線１５が引き出される開口側が鉛直下向きとなるように閉端接続子９が配置される。その結果、閉端接続子９の内部に水が入りにくくした照明器具１０を提供することができる。
【００３７】
また、本実施形態では、図５に示すように、一方（図５中の上側）の立壁部３１００を、左右方向において右側に行くほど対向する他方（図５中の下側）の立壁部３１００との距離が短くなるように傾斜させている。そして、右側の閉端接続子９を保持部３１０に差し込んだ後、左側の閉端接続子９を保持部３１０に差し込むことで、閉端接続子９を立壁部３１００の内面に密着させることができる。その結果、閉端接続子９を強固に保持することができる。
【００３８】
さらに、本実施形態では、図１に示すように、器具本体３に取付板５を取り付けた状態で第１リード線１４及び第２リード線１５が取付板５の上面に接触している。これにより、取付板５から加えられる力を第１リード線１４及び第２リード線１５を介して閉端接続子９に伝えることができる。その結果、保持部３１０から抜ける方向（下方向）への閉端接続子９の移動が規制され、閉端接続子９が保持部３１０から抜けにくくなる。
【００３９】
なお、本実施形態では、カバー１が上側、器具本体３が下側となる向きで取付面１００に照明器具１０を取り付けたが、この取付向きは一例であって、取付状態において閉端接続子９の開口側が鉛直下向きとなっていればよい。したがって、例えばカバー１が下側、器具本体３が上側となる向きで取付面（軒下など）に照明器具１０を取り付けてもよく、本実施形態に限定されない。
【００４０】
また、上述の保持部３１０の構造は一例であって、照明器具１０を取付面１００に取り付けた状態において、開口側が鉛直下向きとなるように閉端接続子９を保持できる構造であれば、他の構造であってもよい。
【００４１】
以上説明したように、本実施形態の照明器具１０は、光源４と、第１リード線１４と、端子台８と、第２リード線１５と、閉端接続子９と、器具本体３と、取付板５とを備える。第１リード線１４は、一端に設けられた第１導線部１４１及び他端に設けられた第２導線部１４２を有し、第１導線部１４１を介して光源４に電気的に接続される。端子台８は、外部からの電源線１６が接続される。第２リード線１５は、一端に設けられた第３導線部１５１及び他端に設けられた第４導線部１５２を有し、第３導線部１５１を介して端子台８に電気的に接続される。閉端接続子９は、第１リード線１４の第２導線部１４２と第２リード線１５の第４導線部１５２とを電気的に接続する。器具本体３は、一面が開口する箱形に形成され、少なくとも端子台８及び閉端接続子９が内部に収容される。取付板５は、器具本体３の開口を塞いだ状態で器具本体３に取り付けられ、器具本体３を取付面１００に固定する。器具本体３の内部には、閉端接続子９を保持する保持部３１０が設けられている。閉端接続子９は、器具本体３を取付面１００に取り付けた状態において、第１リード線１４及び第２リード線１５が引き出される開口側が鉛直下向きとなるように保持部３１０に保持される。
【００４２】
上記構成によれば、器具本体３を取付面１００に取り付けた状態では開口側が鉛直下向きとなるように閉端接続子９が保持部３１０に保持されるので、閉端接続子９の内部に水が入りにくくした照明器具１０を提供することができる。
【００４３】
また、本実施形態の照明器具１０のように、保持部３１０は、器具本体３の底部より立ち上がる立壁部３１００によって筒状に形成されるのが好ましい。この場合、閉端接続子９は、立壁部３１００の内面に密着した状態で保持部３１０に保持される。
【００４４】
上記構成によれば、閉端接続子９を立壁部３１００の内面に密着させることで、閉端接続子９を強固に保持することができる。
【００４５】
また、本実施形態の照明器具１０のように、閉端接続子９は、器具本体３に取付板５を取り付けた状態において、第１リード線１４及び第２リード線１５を介して取付板５から加えられる力により保持部３１０から抜ける方向への移動が規制されるのが好ましい。
【００４６】
上記構成によれば、器具本体３に取付板５を取り付けた状態では、第１リード線１４及び第２リード線１５を介して取付板５から加えられる力により保持部３１０から抜ける方向への閉端接続子９の移動が規制され、閉端接続子９が保持部３１０から抜けにくくなる。
【符号の説明】
【００４７】
３  器具本体
４  光源
５  取付板
８  端子台
９  閉端接続子
１０  照明器具
１４  第１リード線
１５  第２リード線
１６  電源線
１００  取付面
１４１  第１導線部
１４２  第２導線部
１５１  第３導線部
１５２  第４導線部
３１０  保持部
３１００  立壁部
【図１】
0006440066.tif 000002
【図２】
0006440066.tif 000003
【図３】
0006440066.tif 000004
【図４】
0006440066.tif 000005
【図５】
0006440066.tif 000006